(57)【要約】【課題】カード読取装置の誤取付けを気付かせるようにする。【解決手段】カード読取装置６に多線式リード線１７を接続した状態で当該カード読取装置６をその配置部１４に取り付け、その後、制御情報入力用基板７をその配置部１５に取り付ける。制御情報入力用基板７は、カード読取装置６が正規向きで配置されたとき、多線式リード線１７を覆わないが、カード読取装置６が非正規向きで配置されていると、突片部７ｃが多線式リード線１７の一部を押し、当該多線式リード線１７から弾発力を受ける。【選択図】図１
2014067237.tif 000002
【特許請求の範囲】
【請求項１】
箱形をなし一つの壁板部の外面をＩＣカードが接触又は接近するパネル面としたユニットケースを備え、このユニットケースの内部に、矩形状であって一面がカード読取面とされたカード読取装置と、制御情報を入力するための制御情報入力用基板と、この制御情報入力用基板からの制御情報が与えられると共に前記カード読取装置からの読取情報が与えられるメイン制御基板とを配置してなるカードリーダユニットであって、
前記ユニットケースの内部には、前記カード読取装置を配置するカード読取装置配置部と、このカード読取装置配置部よりも前記パネル面とは反対の方向へずれた位置に前記制御情報入力用基板を決められた向きに配置する制御情報入力用基板配置部と、この制御情報入力用基板配置部よりもさらに前記パネル面とは反対の方向へずれた位置に前記メイン制御基板を決められた向きに配置するメイン制御基板配置部とが設けられ、
前記カード読取装置を、前記カード読取面が前記パネル面側となるようにして前記カード読取装置配置部に取付け、その後、前記制御情報入力用基板を、前記制御情報入力用基板配置部に取付け、次に前記メイン制御基板を、前記メイン制御基板配置部に取付ける構成のカードリーダユニットにおいて、
前記カード読取装置に対し、当該カード読取装置を前記メイン制御基板に接続するためのリード線を、前記カード読取面以外の面に、当該カード読取面の反対側の面の中心部から離れた部位において接続し、前記カード読取装置を前記カード読取装置配置部に取付けたとき、前記リード線が前記カード読取装置から前記パネル面とは反対の方向へ導出された状態となるように構成すると共に、
前記制御情報入力用基板を、前記カード読取装置が非正規向きで配置されたとき、当該カード読取装置に接続された前記リード線の導出部分の少なくとも一部を覆い、且つ前記カード読取装置が正規向きで配置されたとき、当該カード読取装置に接続された前記リード線の導出部分を覆わない形状または大きさに形成し、
カード読取装置が非正規向きに配置されたとき、前記制御情報入力用基板を配置する際に、当該制御情報入力用基板が前記パネル面とは反対の方向へ導出された前記リード線の導出部分に当って当該リード線の導出部分を曲げようとすることにより、前記リード線の導出部分が弾発力を生じ、前記制御情報入力用基板に対してその配置に対する抵抗力として作用させるように構成したことを特徴とするカードリーダユニット。
【請求項２】
前記カード読取装置に接続された前記リード線の当該カード読取装置からの導出部分は、前記カード読取装置から前記カード読取面の反対側の面と平行する方向に導出された後に前記カード読取面とは反対の方向に曲げられて前記メイン制御基板に接続される形態となるように構成され、
前記制御情報入力用基板は、前記カード読取装置が非正規向きに配置されたとき、前記前記カード読取装置から前記カード読取面の反対側の面と平行する方向に導出された後に前記カード読取面とは反対の方向に曲げられた前記リード線の導出部分のうち、少なくとも前記カード読取面とは反対の方向に曲がる部分の先端部を覆う形状または大きさであることを特徴とする請求項１記載のカードリーダユニット。
【発明の詳細な説明】
【技術分野】
【０００１】
本発明はカード読取装置の誤取付け防止機能を有したカードリーダユニットに関する。
【背景技術】
【０００２】
例えば、入退室セキュリティシステムでは、室のドア近傍の壁にカードリーダユニットを取り付けており、個人が所有するＩＣカードをカードリーダユニットにかざすと、当該カードリーダユニットが入室資格の有無を判定し、ドアの電気施錠装置を施解錠する。
カードリーダユニットは、ユニットケース内に、カード読取装置、入室を許可する個人のＩＤ情報などの制御情報をキー操作によって入力するための制御情報入力用基板、カード読取装置からの読取情報と制御情報入力用基板からの制御情報によって電気施錠装置の施解錠を制御するメイン制御基板を組み込んで構成される。
【０００３】
ところで、カードリーダユニットには、様々な機種のものが存在する。また、カード読取装置は、各種の認証システムなどでも使用されている。この場合、カード読取装置を、カードリーダユニット毎に、或いは、認証システム毎にそれ専用のものを設計製造するものとすると、多種少量生産となってしまい、生産性向上やコスト低減に不利となる。
そこで、カード読取装置の共用化、つまり、１種類のカード読取装置を、複数機種のカードリーダユニットや各種の認証システムで共通に使用できるようにすることが考えられている。このカード読取装置の共用化のためには、カード読取装置の形状としては、共用化に適した矩形状にすることが好ましい。
【０００４】
下記の特許文献１および特許文献２には、部品を正規向きに取り付けるための手段が開示されている。
特許文献１は、スイッチ装置の防水パッキンを対象にし、この防水パッキンをスイッチの外カバーに正規向き状態に装着させるために、防水パッキンに張り出し部を設けると共に、外カバーに突起を設け、防水パッキンの向きを正規向き状態として外カバーに装着するときには、前記張り出し部が前記突起に当たらずに正常に装着でき、防水パッキンを正規向きとせずに外カバーに装着しようとすると、前記張り出し部が前記突起に当たって装着できないようにしている。
【０００５】
特許文献２では、カセットを収納ケースに収納する構造において、カセットに凹状の矢印表示を形成すると共に、収納ケースにもカセットの収納方向を示す矢印形状の表示部を凹凸部模様で形成し、この表示部が示す方向にカセットの矢印表示の向きを合わせて、当該カセットを挿入させる構成としている。
【先行技術文献】
【特許文献】
【０００６】
【特許文献１】特開２００７−８７７９０号公報
【特許文献２】特開２０００−１４２８７０号公報
【発明の概要】
【発明が解決しようとする課題】
【０００７】
カード読取装置の共用化のためにその形状を矩形状にすると、カード読取装置は、正規の向き（正規向き）に取り付けた配置状態に対して、水平に１８０度転向した向き（非正規向き）にしても取り付けが可能となる。すると、熟練度の低い作業者だと、カード読取装置を非正規向きに取り付けてしまうこと（誤取付け）があり、これに気付かず、そのまま制御情報入力用基板およびメイン制御基板を組み付けてカードリーダユニットを完成してしまうと、カードリーダユニットの読取性能が当初目標としたレベルよりも低くなってしまう。
【０００８】
このカード読取装置の誤取付けを防止するため、特許文献１に開示された手段を採用し、カード読取装置およびユニットケースのうちの一方に突起を設けると共に他方に張出部を設けることが考えられる。しかし、入退室セキュリティシステムに限らず、他のシステムにおけるカードリーダユニットにあっては、ユニットケースの小型化が要請されており、突起や張出部といった新規部分を設けるスペースがあるとは限らない。
【０００９】
また、特許文献２に開示された手段を採用し、カード読取装置およびユニットケースに矢印表示を設けるようにしても、実際の組み付け作業の際に、作業者がその矢印表示を見て合っているかどうかを確認することが必要で、この確認作業を怠ると、誤取付けされたままになるおそれがある。
【００１０】
本発明は上記の事情に鑑みてなされたもので、その目的は、誤取付け防止用の新規部分を設けたり、忘れる可能性のある目視確認を必要としたりすることなく、カード読取装置の誤取付けを防止できるカードリーダユニットを提供することにある。
【課題を解決するための手段】
【００１１】
本発明のカードリーダユニットは、箱形をなし一つの壁板部の外面をＩＣカードが接触又は接近するパネル面としたユニットケースを備え、このユニットケースの内部に、矩形状であって一面がカード読取面とされたカード読取装置と、制御情報を入力するための制御情報入力用基板と、この制御情報入力用基板からの制御情報が与えられると共に前記カード読取装置からの読取情報が与えられるメイン制御基板とを配置してなり、前記カード読取装置を、前記カード読取面が前記パネル面側となるようにしてユニットケース内のカード読取装置配置部に取付け、その後、前記制御情報入力用基板を、ユニットケース内の制御情報入力用基板配置部に取付け、次に前記メイン制御基板を、ユニットケース内のメイン制御基板配置部に取付ける構成を前提とする。
【００１２】
このようなカードリーダユニットにあって、本発明者は、カード読取装置をメイン制御基板に接続するリード線の存在に着目し、カード読取装置が誤取付けされたときには、次に制御情報入力用基板を取り付ける際、この制御情報入力用基板がリード線に当って弾発力を受けることによりカード読取装置の誤取付けを、触覚で気付かせることができるのではないか、という着想を得た。
【００１３】
この着想に基づいてなされた本発明は、カード読取装置をメイン制御基板に接続するためのリード線を、当該カード読取装置に対し、カード読取面以外の面に、当該カード読取面とは反対側の面の中心部から離れた部位において接続し、カード読取装置をカード読取装置配置部に取付けたとき、リード線がカード読取装置からパネル面とは反対の方向へ導出された状態となるように構成すると共に、制御情報入力用基板を、カード読取装置が非正規向きで配置されたときには、当該カード読取装置に接続されたリード線の導出部分の少なくとも一部を覆うが、カード読取装置が正規向きで配置されたときには、当該カード読取装置に接続されたリード線の導出部分を覆わない形状または大きさに形成し、カード読取装置が非正規向きに配置されたとき、制御情報入力用基板を配置する際に、当該制御情報入力用基板がリード線の導出部分に当たって当該導出部分を曲げようとすることにより、当該リード線の導出部分が制御情報入力用基板に対し弾発力を作用させるという構成のものである（請求項１）。
【００１４】
また、本発明は、カード読取装置に接続されたリード線の当該カード読取装置からの導出部分を、カード読取装置からカード読取面の反外側の面と平行する方向に導出された後にカード読取面とは反対の方向に曲げられてメイン制御基板に接続される形態となるように構成し、制御情報入力用基板は、カード読取装置が非正規向きに配置されたとき、カード読取装置からカード読取面の反対側の面と平行する方向に導出された後にカード読取面とは反対の方向に曲げられたリード線の導出部分のうち、少なくともカード読取面とは反対の方向に曲がる部分の先端部を覆う形状または大きさとすることができる。
【００１５】
前記本発明が前提とする構成では、カード読取装置、制御情報入力用基板、メイン制御基板をユニットケースに組み込む場合には、カード読取装置、次に制御情報入力用基板、最後にメイン制御基板の順で組み込む。このうちカード読取装置をカード読取装置配置部に配置する場合、当該カード読取装置が共用化のために矩形状になされているから、カード読取装置配置部に対して正規向きでも、この正規向きから平面的に１８０度転回された向き（非正規向き）でも配置可能である。
【００１６】
ここで、カード読取装置が、カード読取装置配置部に対して、正規向き状態から平面的に１８０度転回した非正規向きに取付けられたとする。すると、この非正規向きのカード読取装置に接続されたリード線の導出部分の少なくとも一部が、その後に取付けられる制御情報入力用基板により覆われることとなる。このため、制御情報入力用基板を取り付ける際、制御情報入力用基板が正規の配置位置に至る前でカード読取装置に接続されたリード線の導出部分に当るようになる。
【００１７】
作業者は制御情報入力用基板が未だ正規の位置に至っていないので、更に押すなどして正規の位置に至らしめようとする。これにより、リード線がより強く曲げられるようになって制御情報入力用基板に弾発力を作用させる。すると、作業者はリード線の反発力を抵抗力として感得するため、組み付け異常かと思って制御情報入力用基板を取り外し、カード読取装置の配置状態を見る。これによりカード読取装置の誤取付けに気付き、当該カード読取装置を正規向きに配設し直して再び制御情報入力用基板の取り付け作業を行う。
【００１８】
カード読取装置がカード読取装置配置部に対して正規向きに配置されると、その後、制御情報入力用基板が制御情報入力用基板配置部に予め決められた向きに配置されたとき、この制御情報入力用基板は、その配置位置で、カード読取装置に接続されたリード線の導出部分を覆うことはない。従って、制御情報入力用基板は、リード線に当接することなく、正規の位置に配置される。
【００１９】
このように本発明では、カード読取装置が誤取付け状態のままでカードリーダユニットが完成してしまうことはなく、常に所期通りの読取性能を保障できる。
しかも、誤取付け防止用の新規部分を追加せずに済み、内部に余分なスペースが少ない小形のカードリーダユニットでも、構造変更や大型化を招来することなく、誤取付け防止を図ることができる。
【００２０】
更に、リード線から受ける抵抗力を触覚として感得し誤取付けに気付く。このため、矢印表示が合っているかどうかによって誤取付けかどうかを目で確認するものとは異なり、特別な注意作業を行わずとも誤取付けに気付くので、確実なる誤取付け防止を図ることができる。
【図面の簡単な説明】
【００２１】
【図１】本発明の第１の実施形態を示すもので、前板に液晶パネル装置、正規向きでカード読取装置および制御情報入力用基板を取付けた状態の背面図
【図２】カードリーダユニットを壁に組み込んだ状態の正面側からの斜視図
【図３】カードリーダユニット全体を下向きにして示す斜視図
【図４】同状態の一部破断の斜視図
【図５】前板を下向きにして示す斜視図
【図６】前板にカード読取装置を正規向きに配置した状態の斜視図
【図７】前板に液晶パネル装置およびカード読取装置を正規向きに配置し且つ制御情報入力用基板を配置した状態の斜視図
【図８】図７のア−ア線に沿う断面図
【図９】前板にカード読取装置を非正規向きに配置し且つ制御情報入力用基板を配置した状態の背面図
【図１０】同状態を背面側から見た斜視図
【図１１】図９のイ−イ線に沿う断面図
【図１２】本発明の第２の実施形態を示すもので、前板にカード読取装置を正規向きに配置した状態の背面図
【図１３】前板にカード読取装置を正規向きに配置した状態の斜視図
【図１４】図１２のウ−ウ線に沿う断面図
【図１５】前板にカード読取装置を非正規向きに配置した状態の背面図
【図１６】前板にカード読取装置を非正規向きに配置した状態の斜視図
【図１７】図１５のエ−エ線に沿う断面図
【図１８】本発明の第３の実施形態を示すもので、前板にカード読取装置を正規向きに配置した状態の背面図
【図１９】前板にカード読取装置を非正規向きに配置した状態の背面図
【図２０】図１９のオ−オ線に沿う断面図
【図２１】本発明の第４の実施形態を示すもので、前板にカード読取装置を正規向きに配置した状態の背面図
【図２２】前板にカード読取装置を非正規向きに配置した状態の背面図
【図２３】図２２のカ−カ線に沿う断面図
【図２４】本発明の第５の実施形態を示す図２３相当図
【発明を実施するための形態】
【００２２】
以下、本発明を実施形態により説明する。
［第１の実施形態］
図１〜図１１は第１の実施形態を示す。この実施形態のカードリーダユニット１は入退室セキュリティシステムのもので、図２はカードリーダユニット１を建物のドア近くの壁Ｗに組み込んだ状態で示し、図３はカードリーダユニット１を後方から見た形態で単独で示している。これら図２および図３のように、カードリーダユニット１は基体としてのユニットケース２を備えている。
なお、以下では、カードリーダユニット１において、前とは、ユニットケース２を壁Ｗに取り付けた使用状態で使用者が当該ユニットケース２と相対したとき、使用者側を前、その反対側を後とし、左右は使用者から見たとき、右手側を右、左手側を左とする。
【００２３】
前記ユニットケース２は、矩形の前板３と、開放された前面の外周縁部に前板３の大きさに合致するフランジ４ａを延設した四角箱側のケース本体４とからなり、ケース本体４を前板３の裏面側にねじなどの適宜の結合手段によって結合して構成されている。そして、ユニットケース２の一つの壁板部に相当する前板３において、その外面（前面）の下側の細線３ａで囲まれた所定領域は図示しない非接触型ＩＣカードが接触または近接（かざす）するパネル面３ｂとされている。
【００２４】
ユニットケース２の内部には、図１、図２および図４に示すように、液晶パネル装置５、カード読取装置６、制御情報入力用基板７およびメイン制御基板８が配設されている。この場合、液晶パネル装置５、カード読取装置６、制御情報入力用基板７およびメイン制御基板８は直接的には前板３の裏側に取り付けられ、そして、ケース本体４を前板３の裏側に取り付けることによって当該ケース本体４に覆われる形態となる。
【００２５】
液晶パネル装置５は、主板９に液晶表示器１０と操作部材としての多数の押釦１１を設けて構成され、前板３の裏側上部に形成されたパネル配置部１２（図５参照）に取り付けられている。液晶パネル装置５を前板３に取り付けた状態では、主板９は前板３に形成された開口部１３に嵌め込まれて当該主板９の前面が前板３の前面と面一になっている。従って、主板９に設けられた液晶表示器１０をユニットケース２の前面側から目視可能であると共に、押釦１１をユニットケース２の前面側から操作可能になっている。
【００２６】
カード読取装置６は、矩形状をなし、一面に相当する前面をカード読取面６ａとしている。そして、このカード読取装置６は、図示はしないが、内部にカード読取面６ａを電波の送受信面とするアンテナを備えると共に、このアンテナによりＩＣカードと無線で通信して当該ＩＣカード内の情報を読み取り且つその読み取った情報をメイン制御基板８に送るための制御回路などを備えている。
【００２７】
このようなカード読取装置６は、前板３の裏側下部に形成されたカード読取装置配置部１４に取り付けられている。そして、カード読取装置配置部１４に取り付けられた状態において、カード読取装置６のカード読取面６ａは、前板３の裏面のうち、カード読取面３ｂの形成領域の裏面に接触している。
【００２８】
前記制御情報入力用基板７は、入室を許可する者の個人情報や、その個人情報を入力する資格を有する者の暗証番号といった制御情報を入力する入力素子、例えば多数のスイッチ素子（図示せず）を有している。これらスイッチ素子は前記液晶パネル装置５の押釦１１によって操作される。
【００２９】
この制御情報入力用基板７は、前板３の裏側に形成された制御情報入力用基板配置部１５により液晶パネル装置５およびカード読取装置６より後方側（パネル面３ｂとは反対方向側）の所定位置に取り付けられている。この場合、制御情報入力用基板７は、スイッチ素子が液晶パネル装置５に設けられた押釦１１により操作されるものであるため、当該液晶パネル装置５に接して、または極く僅かな寸法だけ離れた位置に配置される。この結果、制御情報入力用基板７は、カード読取装置６にも接し、または極く僅かな所定寸法だけ離れた位置に配置された状態になっている。
【００３０】
前記メイン制御基板８は、前板３の裏側に形成されたメイン制御基板配置部１６により制御情報入力用基板７より後側（パネル面３ｂとは反対方向側）にずれた位置に取り付けられている。このメイン制御基板８には、制御情報入力用基板７からの制御情報やカード読取装置６からのカード読取情報が与えられる。そして、メイン制御基板８は、制御情報入力用基板７から制御情報が入力される際には当該制御情報を液晶表示器１０に表示したり、カード読取装置６から読取情報が入力されたときには、当該読取情報を制御情報と比較してＩＣカードの所有者が入室資格を有した者であるか否かを判定し、その判定結果を液晶表示器９に表示したりする共に、判定結果に応じてドアの施錠装置の施解錠を制御したりする。つまり、メイン制御基板８は、カードリーダユニット１全般の制御を行うと共に、このカードリーダユニット１を用いたセキュリティシステム全般の制御をも行うものである。
【００３１】
メイン制御基板８と液晶パネル装置５との間の情報の送受、メイン制御基板８とカード読取装置６との間の情報の送受、およびメイン制御基板８と制御情報入力用基板７との間の情報の送受は、それぞれ、複数本のリード線１７ａを並列状態にして構成した多線式リード線１７によって行われる。そのために、メイン制御基板８と液晶パネル装置５との間、メイン制御基板８とカード読取装置６との間、メイン制御基板８と制御情報入力用基板７との間がそれぞれ多線式リード線１７によって接続されている。なお、リード線１７ａは絶縁被覆電線からなる。
【００３２】
ここで、上記複数の多線式リード線１７を区別する必要がある場合には、メイン制御基板８と液晶パネル装置５との間を接続する多線式リード線を表示情報用多線式リード線、メイン制御基板８とカード読取装置６との間を接続する多線式リード線を読取情報用多線式リード線、メイン制御基板８と制御情報入力用基板７との間を接続する多線式リード線を制御情報用多線式リード線と称することとする。
【００３３】
多線式リード線１７の液晶パネル装置５、カード読取装置６、制御情報入力用基板７、メイン制御基板８への接続はコネクタによって行われる。つまり、多線式リード線１７は、各リード線１７ａの両端を配線用コネクタ１７ｂ，１７ｂに接続して構成されている。この多線式リード線１７に対し、液晶パネル装置５、カード読取装置６、および制御情報入力用基板７には、それぞれ多線式リード線１７の一方の配線用コネクタ１７ｂを接続するためのコネクタ１８（１つを図６に図示）が取り付けられていると共に、メイン制御基板８には、３個の３多線式リード線１７の他方の配線用コネクタ１７ｂを接続するための３個のコネクタ１９（１つを図４に図示）が取り付けられている。なお、多線式リード線１７は、読取情報用のもののみを図示し、また、コネクタ１８は読取装置６に取り付けられ読取情報用多線式リード線１７の一方の配線用コネクタ１７ｂを接続するもののみを図示し、コネクタ１９は同じく読取情報用多線式リード線１７の他方の配線用コネクタ１７ｂを接続するもののみを図示した。
【００３４】
このうち、カード読取装置６のコネクタ１８は、カード読取面６ａ以外の面、例えばカード読取面６ａの反対側である他の一面に相当する背面の中心から離れた部位、例えば当該背面の長短各辺のうち、一方の短辺近傍に後向き（図６で上向き）にして設けられている。このコネクタ１８に読取情報用多線式リード線１７の一方の配線用コネクタ１７ｂを接続すると、多数のリード線１７ａはカード読取装置６の背面から後方に向かって引き出された形態になる。
【００３５】
さて、図５に示すように、前記パネル配置部１１は、ユニットケース２の前板３の裏面に前記開口部１２の周辺に位置して形成された矩形状のリブから構成されている。そして、前記液晶パネル装置５は、このリブの内側に嵌め込まれ、図示しない係止手段やねじなどによって前板３に取り付けられている。
【００３６】
前記カード読取装置配置部１４は、ユニットケース２の前板３の裏面に形成された例えば４つの位置規制リブ１４ａ〜１４ｄから構成されている。これら４つの位置規制リブ１４ａ〜１４ｄのうち、上下に対をなす位置規制リブ１４ａ，１４ｂの内面間距離Ａは、カード読取装置６の縦（上下方向）寸法ａ（図１参照）と同等に設定され、左右に対をなす位置規制リブ１４ｂ，１４ｄの内面間寸法Ｂは、カード読取装置６の横（左右方向）寸法ｂ（図１参照）と同等に設定されている。カード読取装置６は、これら位置規制リブ１４ａ〜１４ｄによって囲まれた領域に図１に示すように横長の状態に挿入配置される。これにより、カード読取装置６は、位置決め状態で前板３の裏面の所定位置に配置され、図示しない係止手段やねじなどによって前板３に取り付けられる。
【００３７】
このように、カード読取装置配置部１４は矩形状領域を有し、カード読取装置６はこのカード読取装置配置部１４が有する矩形状領域内に配置されるものである。このため、カード読取装置６は、カード読取装置配置部１４の矩形状領域に対し、図１および図６に示す向きにも、また、この図１および図６に示された向きから１８０度展開した図９および図１０に示す向きにも配置可能である。この実施形態では、図１および図６に示す向き、つまり、コネクタ１８が前板３の裏側から見て右側に位置する向きを正規向きとしており、図９および図１０に示す向きは非正規向きである。
【００３８】
カード読取装置６は、上記の正規向きに配置されることでＩＣカードとの良好なる通信性能を発揮する。つまり、カード読取装置６は、前述したようにアンテナを備えていて、非接触のＩＣカードに例えば電磁誘導で電源を供給し当該電磁誘導または電波によってデータを送受信する。このような通信方式にあって、その通信性能は、カード読取装置６と、カードリーダユニット１内の他の電子回路である前記制御情報入力用基板７およびメイン制御基板８との配置（向き）関係によって変動する。このため、カード読取装置６がその通信性能を十分に発揮できるよう前記制御情報入力用基板７およびメイン制御基板８に対する向きを事前に調査し、この通信性能の高い向きを前述した図１および図６の正規向きに定めている。
【００３９】
前記制御情報入力用基板配置部１５は、複数の柱状部２０ａ〜２０ｅに段面として形成された受け部１５ａ〜１５ｅにより構成されている。柱状部２０ａ〜２０ｅは、前板３の裏面から後方に向けて立設され、そのうち柱状部２０ａ，２０ｂは他の柱状部２０ｃ〜２０ｅよりも長く（高く）延ばされている。前記受け部１５ａ〜１５ｅは、各柱状部２０ａ〜２０ｅに前板３の裏面から同一高さ位置に当該裏面と平行に形成された平面によって構成されている。
【００４０】
前記制御情報入力用基板７は、周辺部が受け部１５ａ〜１５ｅに載置され、図示しないねじなどによって前板３に取り付けられる。この場合、一つの受け部１５ｃには、位置決めリブ２０ｆが形成されており、この位置決めリブ２９ｆは、制御情報入力用基板７を制御情報入力用基板配置部１５に正規の向きに配置したとき、制御情報入力用基板７の一辺部に形成された位置決め溝７ａ（図１参照）に嵌合するようになっている。この位置決め溝７ａと位置決めリブ２９ｆとの嵌合（位置決め手段）により、制御情報入力用基板７が正規向きに配置されたことが確認される。
【００４１】
ここで、カード読取装置６が正規向きの状態に取り付けられ、且つ、前記制御情報入力用基板７が正規向きに取り付けられたときの状態を示す図１および図６、カード読取装置６が非正規向きの状態に取り付けられ、且つ、前記制御情報入力用基板７が正規向きに取り付けられたときの状態を示す図９および図１０から分かるように、制御情報入力用基板７において、カード読取装置６に近い一辺部７ｂにおいて、カード読取装置６が正規向きに配置されたときコネクタ１８が位置する側（図１、図６、図９および図１０のように裏側から見て右側）が一部切欠かれ、この切欠きの結果、カード読取装置６が非正規向きに配置されたときコネクタ１８が位置する側（図１、図６、図９および図１０のように裏側から見て左側）に、例えば矩形状の突片部７ｃが突出形成された形状をなしている。組み立て時、カード読取装置６はカード読取装置配置部１４に取り付けられたとき、そのコネクタ１８に多線式リード線１７を接続した状態にされ、その後、制御情報入力用基板７が制御情報入力用基板配置部１５に取り付けられるようになっている。
【００４２】
このとき、制御情報入力用基板７の突片部７ｃは、カード読取装置６が非正規向きに配置されていたとき、カード読取装置６に接続された多線式リード線１７の導出部分（カード読取装置６に接続された部分およびその近傍）Ｒの一部を後方から覆うようになる。しかし、カード読取装置６が正規向きに配置されたときには、突片部７ｃは、カード読取装置６に接続された多線式リード線１７の導出部分Ｒを覆うことはない。
【００４３】
なお、突片部７ｃは、カード読取装置６が非正規向きに配置されたとき、多線式リード線１７の導出部分Ｒの全体を覆う大きさとしても良い。但し、突片部７ｃは、カード読取装置６が正規向きに配置されたときには、多線式リード線１７の導出部分Ｒを一部たりとも覆う大きさ・形状としない。
【００４４】
制御情報入力用基板７が制御情報入力用基板配置部１５の正規の位置に取り付けられたとき、前述のように当該制御情報入力用基板７は、自身が備えるスイッチ素子を液晶パネル装置５の押釦１０が操作し得るようにするため、前板３に取り付けられる液晶パネル装置５に極く接近し、または接した状態となる。これに伴い、制御情報入力用基板７は、カード読取装置６にも極く接近し、その間には僅かな隙間しか存在しない状態になされる。
【００４５】
前記メイン制御基板配置部１６は、複数の柱状部２１ａ，２１ｂと、前記柱状部２０ｃ，２０ｅの先端部に形成された受け部１６ａ〜１６ｄから構成されている。柱状部２１ａ，２１ｂは、柱状部２０ｃ，２０ｄと同様に前板３の裏面に後方に突出するように立設されている。このメイン制御基板配置部１６は、前記制御情報入力用基板配置部１５よりも更に後方（パネル面３ｂとは反対側）にずれた位置にあって前板３の裏面と平行な平面で構成されている。
【００４６】
前記メイン制御基板８は、周辺部が受け部１６ａ〜１６ｄに載置され、図示しないねじなどによって前板３に取り付けられる。この場合、一つの受け部１６ｂには、位置決めリブ１６ｅが形成されており、この位置決めリブ１６ｆは、メイン制御基板８をメイン制御基板配置部１６に正規の向きに配置したとき、メイン制御基板８の一辺部に形成された位置決め溝８ａ（図４参照）に嵌合するようになっている。この位置決め溝８ａと位置決めリブ１６ｆとの嵌合（位置決め手段）により、メイン制御基板８が正規向きに配置されたことが確認される。
【００４７】
さて、ユニットケース２に液晶パネル装置５、カード読取装置６、制御情報入力用基板７およびメイン制御基板８を組み付ける場合、まず図５に示すように、前板３を作業台の上に裏向き（前面側が下側）にして載置する。次に、カード読取装置６をカード読取装置配置部１４に配置し、液晶パネル装置５をパネル配置部１１に配置する。なお、カード読取装置６と液晶パネル装置５とは何れを先に配置しても良い。
【００４８】
そして、図６に示すように、カード読取装置６のコネクタ１８に多線式リード線１７の一方のコネクタ１７ｂを接続する。これにより、カード読取装置６からリード線１７が後向き（図６では上向き）に導出された状態となる。なお、多線式リード線１７をコネクタ１８に接続した後、カード読取装置６をカード読取装置配置部１４に配置するようにしても良い。
【００４９】
次に、制御情報入力用基板７を制御情報入力用基板配置部１５に挿入配置する。このとき、カード読取装置６が正規向きに配置されていたとすると、図７および図８に示すように、カード読取装置６に接続された多線式リード線１７の導出部分Ｒは制御情報入力用基板７の突片部７ｃが覆う位置から外れたところ、つまり切欠内に位置しているので、制御情報入力用基板７は各辺部が受け部１５ａ〜１５ｅの全てに受けられた正規の位置に支障なく取り付けることができる。
【００５０】
しかしながら、カード読取装置６が非正規向きに配置されていたとすると、コネクタ１８は図９および図１０に示すように図示左側にあるが、多線式リード線１７の先端側のコネクタ１７ｂは正規向きに配置されていた場合と同様に、制御情報入力用基板７の突片部７ｃの図示右側の切欠部から引き出さねばならないので、多線式リード線１７の先端側のコネクタ１７ｂを右側に位置させる。すると、多線式リード線１７の導出部分はＬ字状に曲げられた状態となる。
【００５１】
次に、制御情報入力用基板７を制御情報入力用基板配置部１５に挿入配置する。すると、図９〜図１１に示すように、カード読取装置６に接続された多線式リード線１７の導出部分Ｒは制御情報入力用基板７の突片部７ｃが覆う所に位置しているので、制御情報入力用基板７の一辺部は、例えば受け部１５ｂ，１５ｃに受け支えさられるが、他辺部は図  に示すように多線式リード線１７の導出部分Ｒに当り、受け部１５ａ，１５ｄ，１５ｅからは浮き上がった状態になる。
【００５２】
そこで、制御情報入力用基板７の他辺部を押し込もうとすると、多線式リード線１７の導出部分Ｒが押されて更に強くＬ字状に曲げられ、その曲げられたことによる弾発力を制御情報入力用基板７に及ぼす。すると、作業者は制御情報入力用基板７から多線式リード線１７の導出部分Ｒの弾発力を配置に対する抵抗力として受けるので、触覚でカード読取装置６が非正規向きに配置されていることに気付き、カード読取装置６を正規向きに直し、再度、制御情報入力用基板７を制御情報入力用基板配置部１５に配置する。
【００５３】
このように本実施形態では、制御情報入力用基板７に突片部７ｃを設けることのみでカード読取装置６の誤取付けの防止を図ることができるので、カード読取装置６に新規部分を追加形成しなくとも済む。そして、制御情報入力用基板７に突片部７ｃを形成する程度の構成であるから、内部に余分なスペースが少ない小形のカードリーダユニットでも、大幅な構造変更や大型化をきたすことなく誤取付け防止を図ることができる。
【００５４】
更に、制御情報入力用基板７に突片部７ｃを形成する構成としているが、この制御情報入力用基板７自体は、これを搭載するカードリーダユニットの個々に合った専用設計がなされるものであって、もともと共用化し難いものであるから、突片部７ｃの形成によってカードリーダユニット１の生産性が下がるようなことはない。
【００５５】
［第２の実施形態］
図１２〜図１７は本発明の第２の実施形態を示す。この実施形態では、制御情報入力用基板７の一辺部において、カード読取装置６が正規向きに配置されたとき、コネクタ１８が位置する側（図１２〜図１４において右側）を一部切り欠くのではなく、当該右側部分にコネクタ１８に前後（図１４で上下）に重なる部分に位置して矩形孔２２が形成された孔明き形状をなしている。
【００５６】
組み立ては、前記第１の実施形態と同様に、カード読取装置６をカード読取装置配置部１４に配置し、そのコネクタ１８に多線式リード線１７を接続した後、制御情報入力用基板７を制御情報入力用基板配置部１５に配置する。
このとき、図１２〜図１４に示すように、多線式リード線１７を矩形孔２２に通して上方に引き出しながら制御情報入力用基板７を制御情報入力用基板配置部１５に配置してゆく。カード読取装置６が正規向きに配置されていれば、制御情報入力用基板７を制御情報入力用基板配置部１５に配置してゆくにつれて多線式リード線１７が矩形孔２２から次第に長く引き出されてゆく。
【００５７】
しかし、カード読取装置６が非正規向きに配置されていた場合には、多線式リード線１７を矩形孔２２から上方に引き出して制御情報入力用基板７を制御情報入力用基板配置部１５に挿入配置してゆくと、多線式リード線１７は引っ張られて矩形孔２２から制御情報入力用基板７の裏側に入り込み、そして多線式リード線１７の導出部分Ｒが図１５〜図１７に示すように制御情報入力用基板７により更に強くＬ字状に曲げられて弾発力を発生し、その弾発力が制御情報入力用基板７の配置に対する抵抗力として作業者に感得される。これにより作業者はカード読取装置６の誤取付けに気付き、カード読取装置６を正規向きに配置し直す。
【００５８】
［第３の実施形態］
図１８〜図２０は本発明の第３の実施形態を示す。この実施形態が前記第１の実施形態と異なるところは、第１に、カード読取装置６を正規向きに配置したとき、当該カード読取装置６のコネクタ１８が裏面に、その中心から下方に隔たった、例えば下端部に位置するように設けられたところにある。
【００５９】
第２に、制御情報入力用基板７は、矩形状で、カード読取装置６がカード読取装置配置部１４に取り付けられた後、制御情報入力用基板配置部１５に取り付けられたとき、カード読取装置６が正規向きに配置されていた場合には、そのコネクタ１８ひいては当該コネクタ１８に接続された多線式リード線１７の導出部分Ｒを覆わず（図１８参照）、しかし、カード読取装置６が非正規向きに配置されたとき、そのコネクタ１８ひいては当該コネクタ１８に接続された多線式リード線１７の導出部分Ｒを覆う（図１９参照）大きさに定めたところにある。
【００６０】
このように構成しても、カード読取装置６が非正規向きに配置されたとき、その後に制御情報入力用基板７を制御情報入力用基板配置部１５に取り付ける際、制御情報入力用基板７の下辺部分が多線式リード線１７の導出部分Ｒに当って当該多線式リード線１７の導出部分ＲをＬ字状に曲げる。すると、他線式リード線１７の導出部分Ｒが制御情報入力用基板７に弾発力を及ぼすので、作業者はカード読取装置６の誤取付けに気付き、正規向きに取り付け直すようになす。
【００６１】
［第４の実施形態］
図２１〜図２３は本発明の第４の実施形態を示す。この実施形態は上記第３の実施形態と同様に、カード読取装置６を正規向きに配置したとき、当該カード読取装置６のコネクタ１８が裏面の中心から下方に隔たった、例えば下辺部近くに位置するように設けられている。
【００６２】
この実施形態では、多線式リード線１７において、カード読取装置６のコネクタ１８に接続されたコネクタ１７ｂからリード線１７ａがカード読取装置６の背面に対し直角に立ち上がるのではなく、当該カード読取装置６の背面と平行で、且つ、カード読取装置６から下方に延びるように導出されている。
【００６３】
そして、制御情報入力用基板７は矩形状で、制御情報入力用基板配置部１５に取り付けられたとき、カード読取装置６とは重ならない大きさに定められている。この場合、制御情報入力用基板７の下端は、後から見たときカード読取装置６の上端と同じ位置にあっても良いが、この実施形態では、制御情報入力用基板７の下端はカード読取装置６の上端から上方に離れており、その離間寸法Ａは次のような長さに定められている。
【００６４】
即ち、カード読取装置６が非正規向きに取り付けられていた場合には、当該カード読取装置６に接続された多線式リード線１７は、後から取り付けられる制御情報入力用基板７の下方に入り込むが、このままだと、メイン制御基板８のコネクタ１８に接続できなくなるので、先端のコネクタ１７ｂを制御情報入力用基板７の裏側から引き出す。すると、リード線１７ａの導出部分Ｒが図２３に示すようにＵ字状に折り返されるようになる。
この場合、他線式リード線１７の先端部を、リード線１７ａがコネクタ１７ｂ部分で折損しない範囲の最も強い力で引っ張ったときのＵ字状部分の先端とカード読取装置６までの距離をＢとしたとき、Ａ＜Ｂとなるような大きさに定められている。
【００６５】
このように構成した場合、カード読取装置６が誤取付けされていたとすると、制御情報入力用基板７の取り付け時に当該制御情報入力用基板７の下端部分が多線式リード線１７のリード線１７ａのＵ字状に曲げられた導出部分Ｒに当るようになる。すると、制御情報入力用基板７が正規の位置まで押し入れられないので、更に押し込もうとすると、リード線１７ａの導出部分Ｒが更に曲げられて弾発力を制御情報入力用基板７に作用させるので、カード読取装置６の誤取付けに気付く。そこで、カード読取装置６を正規向きに付け直すようになる。
【００６６】
［第５の実施形態］
図２４は第５の実施形態を示す。この実施形態は上記第４の実施形態と同様のもので、異なるところは、カード読取装置６のコネクタ１８が当該カード読取装置６の一側面たる下端面（図２４で右端面）に配設されており、多線式リード線１７のコネクタ１７ｂをコネクタ１８に接続したとき、リード線１７ｃがカード読取装置６の下端面から下方に向けてカード読取装置６の背面と平行に引き出された状態になる。
【００６７】
この場合も、制御情報入力用基板７は、カード読取装置６が誤取付けされたとき、当該カード読取装置６と制御情報入力用基板７の下端との距離Ａがリード線１７ａを強く引っ張ったときのＵ字状部分の先端との距離Ｂよりも小さくなるように定められている。
【００６８】
［その他の実施形態］
なお、本発明は上記し且つ図面に示す実施形態に限定されるものではなく、以下のような変更または拡張が可能である。
他線式リード線はフレキシブルケーブルであっても良い。
他線式リード線１７はカード読取装置６に対しコネクタ接続ではなく、直接半田付けなどによって接続しても良い。
【符号の説明】
【００６９】
図面中、１はカードリーダユニット、２はユニットケース、３は前板、４はケース本体、５は液晶パネル装置、６はカード読取装置、６ａはカード読取面、７は制御情報入力用基板、８はメイン制御基板、１３はコネクタ、１４はカード読取装置配置部、１５は制御情報入力用基板配置部、１６はメイン制御基板配置部、１７は多線式リード線，１７ａはリード線、Ｒは導出部分を示す。
【図１】
2014067237.tif 000003
【図２】
2014067237.tif 000004
【図３】
2014067237.tif 000005
【図４】
2014067237.tif 000006
【図５】
2014067237.tif 000007
【図６】
2014067237.tif 000008
【図７】
2014067237.tif 000009
【図８】
2014067237.tif 000010
【図９】
2014067237.tif 000011
【図１０】
2014067237.tif 000012
【図１１】
2014067237.tif 000013
【図１２】
2014067237.tif 000014
【図１３】
2014067237.tif 000015
【図１４】
2014067237.tif 000016
【図１５】
2014067237.tif 000017
【図１６】
2014067237.tif 000018
【図１７】
2014067237.tif 000019
【図１８】
2014067237.tif 000020
【図１９】
2014067237.tif 000021
【図２０】
2014067237.tif 000022
【図２１】
2014067237.tif 000023
【図２２】
2014067237.tif 000024
【図２３】
2014067237.tif 000025
【図２４】
2014067237.tif 000026